(57)【要約】【課題】生体の実際のリスクに応じて適切なタイミングでカフを用いた血圧測定が可能な自動血圧監視装置を提供する。【解決手段】血圧測定起動手段６４において、心筋酸素消費量指標値算出手段６２により算出された心筋酸素消費量指標値（心拍数血圧値積ＲＰＰ）と心拍変化情報算出手段５８により算出された心拍変化情報（ΔＨＲ）とに基づいて、血圧測定手段５０による血圧測定を起動させることから、生体状態の実際にリスクに応じた起動条件で血圧測定手段５０による血圧測定が起動される。従って、生体の実際のリスクに応じて適切なタイミングでカフを用いた血圧測定が可能となる。【選択図】図２
2010029228.tif 000002
【特許請求の範囲】
【請求項１】
生体の一部への圧迫圧力を変化させるカフを用いて該生体の血圧値を測定する血圧測定手段を備え、該生体の血圧値を監視するための自動血圧監視装置であって、
前記生体の最高血圧値を記憶する最高血圧値記憶手段と、
前記生体の心拍の変化情報を示す心拍変化情報を算出する心拍変化情報算出手段と、
前記最高血圧値記憶手段により記憶された最高血圧値と前記心拍変化算出手段により算出された心拍変化情報とに基づいて心筋の酸素消費量を示す心筋酸素消費量指標値を算出する心筋酸素消費量指標値算出手段と、
該心筋酸素消費量指標値算出手段により算出された心筋酸素消費量指標値と前記心拍変化情報算出手段により算出された心拍変化情報とに基づいて、前記血圧測定手段による血圧測定を起動させる血圧測定起動手段と
を、含むことを特徴とする自動血圧監視装置。
【請求項２】
前記心拍変化情報算出手段は、前記生体の心拍数の変化を算出するものであり、
前記血圧測定起動手段は、前記心拍数の増加率が前記心筋酸素消費量指標値が小さくなるほど高く設定された判定値以上となることに基づいて前記血圧測定手段による血圧測定の起動を開始させるものである請求項１の自動血圧監視装置。
【請求項３】
前記血圧測定起動手段は、前記最高血圧値が所定値以下である場合には、前記心拍変化情報の増加率が予め設定された判定値以下となったことに基づいて前記血圧測定手段による血圧測定の起動を開始させるものである請求項１または２の自動血圧監視装置。
【請求項４】
前記最高血圧値記憶手段に最高血圧値が記憶されてからの経過時間が予め設定された更新周期を越えたときに、該最高血圧値記憶手段に記憶された最高血圧値を、前記生体から新たに測定された最高血圧値に更新する更新手段を、さらに含むものである請求項１乃至３のいずれかの自動血圧監視装置。
【発明の詳細な説明】
【技術分野】
【０００１】
本発明は、生体の血圧を監視するための自動血圧監視装置に関するものである。
【背景技術】
【０００２】
一般に、生体の血圧値を比較的長期にわたって監視するための血圧監視装置は、生体の一部に巻回されるカフを用い、そのカフの圧迫圧力を変化させることによりその生体の血圧値を測定する血圧測定手段を、一定の周期で自動的に起動させる。
【０００３】
上記の血圧測定手段によりカフを用いて測定される血圧測定値は、比較的信頼性が得られることから、その血圧測定手段による血圧測定を繰り返し実行することが考えられるが、血圧監視の遅れを解消しようとして自動起動周期を短くすると、カフの生体に対する圧迫頻度が高くなるので大きな負担を生体に強いることになるとともに、そのカフによる圧迫頻度が極端に高くなると、鬱血が生じて正確な血圧値が得られなくなる不都合が発生する。
【０００４】
これに対し、生体の血圧測定が必要な状態となったことが生体情報に基づいて決定されると、カフによる血圧測定を開始させるようにした自動血圧監視装置が提案されている。たとえば、特許文献１には、生体の心拍周期の周波数解析により得られた周波数成分分析値（心拍周期情報）の変動値が予め設定された判断基準範囲を越えたことに基づいて、カフによる血圧測定を開始させる自動血圧監視装置が提案されている。これによれば、周波数成分分析値が予め設定された判断基準範囲を越えたことに基づいて、カフによる血圧測定が起動させられることから、その周波数成分分析値により血圧変動の起こり得る可能性が推定されてカフにより血圧測定が開始されるので、短周期で血圧測定することが解消されて、生体に対する負担が軽減されるとともに、正確な血圧監視が可能となる。
【特許文献１】特開２００８−４３３５６号公報
【発明の開示】
【発明が解決しようとする課題】
【０００５】
しかしながら、上記特許文献１の自動血圧監視装置によれば、生体の実際のリスクに拘わらず、生体パラメータが予め設定された一定の血圧測定起動条件に到達すると一律にカフによる血圧測定が開始されるので、必ずしも適切にカフによる血圧測定が開始される訳ではなかった。すなわち、それほどリスクのない生体状態であれば、不要にカフによる血圧測定が開始される傾向となり、リスクの高い生体状態であれば、迅速に血圧測定値が得られないということになるので、生体状態のリスクに応じた適切な血圧監視ができない場合があった。
【０００６】
本発明は、以上の事情を背景として為されたものであり、その目的とするところは、生体の実際のリスクに応じて適切なタイミングでカフを用いた血圧測定が可能な自動血圧監視装置を提供することにある。
【０００７】
本発明者は、以上の事情を背景として種々研究を重ねるうち、生体の心筋の酸素消費量が生体状態のリスクを適切に示すことに着目し、その心筋の酸素消費量を表す心拍数血圧値積ＲＰＰ（＝ＨＲ×ＢＰＳＹＳ）を用い、その大きさに応じて異なる血圧測定起動条件を設定すると、生体の実際のリスクに応じて適切なタイミングでカフを用いた血圧測定が可能となることを見いだした。本発明は、このような知見に基づいて為されたものである。
【課題を解決するための手段】
【０００８】
すなわち、上記目的を達成するための請求項１に係る発明の要旨とするところは、（ａ）生体の一部への圧迫圧力を変化させるカフを用いて該生体の血圧値を測定する血圧測定手段を備え、該生体の血圧値を監視するための自動血圧監視装置であって、（ｂ）前記生体の最高血圧値を記憶する最高血圧値記憶手段と、（ｃ）前記生体の心拍の変化情報を示す心拍変化情報を算出する心拍変化情報算出手段と、（ｄ）前記最高血圧値記憶手段により記憶された最高血圧値と前記心拍変化算出手段により算出された心拍変化情報とに基づいて心筋の酸素消費量を示す心筋酸素消費量指標値を算出する心筋酸素消費量指標値算出手段と、（ｅ）その心筋酸素消費量指標値算出手段により算出された心筋酸素消費量指標値と前記心拍変化情報算出手段により算出された心拍変化情報とに基づいて、前記血圧測定手段による血圧測定を起動させる血圧測定起動手段とを、含むことにある。
【発明の効果】
【０００９】
このようにすれば、血圧測定起動手段において、心筋酸素消費量指標値算出手段により算出された心筋酸素消費量指標値と前記心拍変化情報算出手段により算出された心拍変化情報とに基づいて、前記血圧測定手段による血圧測定を起動させることから、生体状態の実際にリスクに応じた起動条件で血圧測定手段による血圧測定が起動される。従って、生体の実際のリスクに応じて適切な周期或いはタイミングでカフを用いた血圧測定が可能な自動血圧監視装置が得られる。
【００１０】
ここで、好適には、前記心拍変化情報算出手段は、前記生体の心拍数の変化を算出するものであり、前記血圧測定起動手段は、前記心拍数の増加率が前記心筋酸素消費量指標値が小さくなるほど高く設定された判定値以上となることに基づいて前記血圧測定手段による血圧測定の起動を開始させるものである。このようにすれば、心筋酸素消費量指標値が小さくなるほど高く設定された前記心拍数の増加率の判定値に基づいて前記血圧測定手段による血圧測定の起動を開始させるので、前記心拍数の増加率がリスクの少ない生体ほど高く設定された判定値以上となることに基づいて血圧測定の起動が開始させられるので、リスクの少ない生体に対して、必要以上の血圧測定を行うことが防止される。
【００１１】
また、好適には、前記血圧測定起動手段は、前記最高血圧値が所定値以下である場合には、前記心拍変化情報の増加率が予め設定された判定値以下となったことに基づいて前記血圧測定手段による血圧測定の起動を開始させるものである。このようにすれば、低血圧に対するリスクのある生体に対して、適切なタイミングで血圧測定を開始させることができる利点がある。
【００１２】
また、好適には、前記最高血圧値記憶手段に最高血圧値が記憶されてからの経過時間が予め設定された更新周期を越えたときに、その最高血圧値記憶手段に記憶された最高血圧値を、前記生体から新たに測定された最高血圧値に更新する更新手段が、さらに含まれる。このようにすれば、所定の更新周期を経過する毎に最高血圧値が更新されるので、その最高血圧値に基づいて算出される心筋酸素消費量指標値が生体の実際の最高血圧値の変化に応じた値とされてその心筋酸素消費量指標値の精度が高められるとともに、血圧監視の精度も高められる。
【００１３】
また、好適には、前記最高血圧値記憶手段に記憶される生体の最高血圧値は、表示された血圧測定値から手動入力により記憶された値であってもよいし、統計的な汎用値であってもよい。
【００１４】
また、好適には、前記心拍変化情報算出手段によって算出される生体の心拍の変化情報は、心拍数変化率であってもよいし、心拍数変化量であってもよい。
【発明を実施するための最良の形態】
【００１５】
以下、本発明の一実施例を図面に基づいて詳細に説明する。図１は、本発明が適用された血圧監視装置１０の構成を説明するブロック図である。
【実施例】
【００１６】
図１において、血圧監視装置１０は、ゴム製袋を布製帯状袋内に有してたとえば患者の上腕部１２に巻回されるカフ１４と、このカフ１４に配管１６を介してそれぞれ接続された圧力センサ１８、圧力制御弁２０、および空気ポンプ２２とを備えている。この圧力制御弁２０は、カフ１４内へ空気ポンプ２２の圧力の供給を許容する圧力供給状態、その圧力供給を停止させ且つカフ１４内を徐々に排圧する徐速排圧状態、およびカフ１４内を急速に排圧する急速排圧状態の３つの状態と、それらの中間的状態とに切り換えられるように構成されている。
【００１７】
圧力センサ１８は、カフ１４内の圧力を検出してその圧力を表す圧力信号ＳＰを静圧弁別回路２４および脈波弁別回路２６にそれぞれ供給する。静圧弁別回路２４はローパスフィルタを備え、圧力信号ＳＰに含まれる定常的な圧力すなわちカフ圧ＰＣを表すカフ圧信号ＳＫを弁別してそのカフ圧信号ＳＫをＡ／Ｄ変換器２８を介して電子制御装置３０へ供給する。
【００１８】
上記脈波弁別回路２６はバンドパスフィルタを備え、圧力信号ＳＰの振動成分である脈波信号ＳＭ１を周波数的に弁別してその脈波信号ＳＭ１をＡ／Ｄ変換器３２を介して電子制御装置３０へ供給する。この脈波信号ＳＭ１が表すカフ脈波は、患者の心拍に同期して図示しない上腕動脈から発生してカフ１４に伝達される圧力振動波すなわちカフ脈波であり、上記カフ１４、圧力センサ２２、および脈波弁別回路２６は、カフ脈波センサとして機能している。
【００１９】
上記電子制御装置３０は、ＣＰＵ３２、ＲＯＭ３４、ＲＡＭ３６、および図示しないＩ／Ｏポート等を備えた所謂マイクロコンピュータにて構成されており、ＣＰＵ３２は、ＲＯＭ３４に予め記憶されたプログラムに従ってＲＡＭ３６の記憶機能を利用しつつ信号処理を実行することにより、Ｉ／Ｏポートから駆動信号を出力して圧力制御弁２０および空気ポンプ２２を制御するとともに、表示器３７の表示内容を制御する。
【００２０】
容積脈波検出装置として機能する光電脈波センサ３８は、生体の末梢血管の容積脈波（プレシスモグラフ）を検出するために、たとえば脈拍検出などに用いるものと同様に構成されており、指尖部などの生体の一部を収容可能なハウジング４０内には、ヘモグロビンによって反射可能な波長帯の赤色光或いは赤外光、好ましくは酸素飽和度によって影響を受けない８００ｎｍ程度の波長、を生体の表皮に向かって照射する光源である発光素子４２と、ハウジング４０の発光素子４２に対向する側に設けられ、上記生体の一部を透過してきた光を検出する受光素子４４とを備え、毛細血管内の血液容積に対応する光電脈波信号ＳＭ２を出力し、Ａ／Ｄ変換器４６を介して電子制御装置３０へ供給する。この光電脈波信号ＳＭ２は、末梢部の毛細血管内のヘモグロビンの量すなわち血液量に対応して一拍毎に脈動する信号であるので、光電脈波センサ３８は生体の心拍信号を検出する心拍信号検出装置としても機能している。
【００２１】
図２は、上記血圧監視装置１０における電子制御装置３０の制御機能の要部を説明する機能ブロック線図である。図２において、血圧測定手段５０は、予め設定された血圧測定周期毎に血圧測定が起動され、カフ圧制御手段５２によってたとえば生体の上腕部に巻回されたカフ１４の圧迫圧力を所定の目標圧力値ＰＣＭ（たとえば、１８０ｍｍＨｇ程度の圧力値）まで急速昇圧させたあとに３乃至５ｍｍＨｇ／ｓｅｃ程度の速度で徐速降圧させられる徐速降圧期間内において、順次採取される脈波信号ＳＭ１が表す脈波の振幅の変化に基づきよく知られたオシロメトリック法を用いて最高血圧値ＢＰＳＹＳ、平均血圧値ＰＭＥＡＮ、および最低血圧値ＢＰＤＩＡなどを決定し、その決定された最高血圧値ＢＰＳＹＳ、平均血圧値ＰＭＥＡＮ、および最低血圧ＢＰＤＩＡなどを表示器３７に表示させる。
【００２２】
心拍数算出手段５６は、光電脈波センサ３８により検出された光電脈波信号ＳＭ２すなわち心拍信号に基づいて、たとえば５拍程度の移動平均値を算出することにより心拍数ＨＲを連続的に求める。心拍変化情報算出手段５８は、上記心拍数算出手段５６により求められた心拍数ＨＲの変化、たとえば後述の最高血圧値ＢＰＳＹＳが記憶されてからの心拍数変化率ΔＨＲまたは心拍数変化量ｄＨＲを連続的に算出する。
【００２３】
最高血圧値記憶手段６０は、血圧監視対象となる生体の最高血圧値ＢＰＳＹＳを血圧監視区間の開始に先立って記憶する。この最高血圧値ＢＰＳＹＳは、手動入力された値であってもよいが、血圧監視区間の開始に先立って前記血圧測定手段５０により測定されて自動的に記憶されたものであってもよい。
【００２４】
心筋酸素消費量指標値算出手段６２は、心筋の酸素消費量を示す指標値たとえば心拍数血圧値積ＲＰＰ（＝ＨＲ×ＢＰＳＹＳ）を、上記心拍数算出手段５６により算出された生体の心拍数ＨＲと上記最高血圧値記憶手段６０により記憶された生体の最高血圧値ＢＰＳＹＳとに基づき、それらの積を求めることによって算出される。一般に、健常な生体の心拍数血圧値積ＲＰＰは、７０００乃至１２０００の範囲であると言われている。
【００２５】
血圧測定起動手段６４は、上記心拍変化情報算出手段５８により連続的に算出された決定された心拍数変化率ΔＨＲまたは心拍数変化量ｄＨＲと、上記心筋酸素消費量指標値算出手段６２により求められた心筋の酸素消費量を示す指標値たとえば心拍数血圧値積ＲＰＰとに基づいて、前記血圧測定手段５０の血圧測定を生体のリスクに応じた適切な周期或いはタイミングで起動させる。血圧測定起動手段６４は、通常血圧或いは高血圧では、上記心筋酸素消費量指標値（心拍数血圧値積ＲＰＰ）が小さくなるほど高く設定された心拍数増加率判定値Ａに基づいて、すなわち実際の心拍数増加率ΔＨＲが上記心拍数増加率判定値Ａ以上となったことに基づいて、血圧測定手段５０による血圧測定を起動させる。このように、心拍数血圧値積ＲＰＰが高くなるほど、すなわち生体のリスク（危険度合）が高くなるほど小さくなるように心拍数増加率判定値Ａが設定されているので、リスクの少ない生体ほど心拍数増加率ΔＨＲが大きい状態で血圧測定が起動され、リスクの多い生体ほど心拍数増加率ΔＨＲが小さい状態で血圧測定が起動されることになる。
【００２６】
たとえば、血圧測定起動手段６４は、最高血圧値ＢＰＳＹＳが１００ｍｍＨｇ以下の低血圧では、負の値に設定された心拍数増加率判定値Ｂ以下となったことに基づいて血圧測定手段５０による血圧測定の起動が判断される。上記の心拍数増加率判定値Ａとしては、たとえば、前回の最高血圧値ＢＰＳＹＳが１００ｍｍＨｇ以下である場合には−１０％に設定された心拍数増加率判定値Ａ１が用いられ、心拍数血圧値積ＲＰＰが８４００以下である場合には＋２０％に設定された心拍数増加率判定値Ａ２が用いられ、心拍数血圧値積ＲＰＰが８４００乃至９８００の範囲である場合には＋１５％に設定された心拍数増加率判定値Ａ３が用いられ、心拍数血圧値積ＲＰＰが９８００以上である場合には＋１０％に設定された心拍数増加率判定値Ａ４が用いられる。なお、血圧測定起動手段６４は、たとえば、前回の血圧測定から２分以上経過し、前回の自動起動から５分以上経過し、且つ上記血圧測定起動条件が５秒以上満足された場合に、血圧測定手段５０による血圧測定を開始させる。
【００２７】
更新手段６６は、前記最高血圧値記憶手段６０に最高血圧値ＢＰＳＹＳが記憶されてからの経過時間ｔｅが、たとえば５分以上、好適には１０乃至３０分程度に予め設定された更新周期Ｔを越えたときに、その最高血圧値記憶手段６０に記憶された最高血圧値ＢＰＳＹＳを、生体から新たに測定された最高血圧ＢＰＳＹＳに更新する。
【００２８】
図３は、上記電子制御装置３０の制御作動の要部を説明するフローチャートであり、図示しない電源スイッチおよび起動スイッチが操作されることにより実行される。先ず、図示しないカウンタやレジスタをクリアする初期処理が実行された後、血圧測定手段５０に対応するステップＳ１（以下、ステップを省略する。）では、カフ１４を用いて生体の血圧測定が実行される。すなわち、カフ１４の圧迫圧力が所定の目標圧力値ＰＣＭ（たとえば、１８０ｍｍＨｇ程度の圧力値）まで急速昇圧させたあとに３乃至５ｍｍＨｇ／ｓｅｃ程度の速度で徐速降圧させられる徐速降圧期間内において、順次採取される脈波信号ＳＭ１が表す脈波の振幅の変化に基づきオシロメトリック法を用いて血圧値が決定される。たとえば、脈波振幅の包絡線の変曲点に対応するカフ圧を最高血圧値ＢＰＳＹＳおよび最低血圧値ＢＰＤＩＡとして決定され、最大脈波振幅の発生時点のカフ圧を平均血圧値ＰＭＥＡＮとして決定される。
【００２９】
続いて、最高血圧値記憶手段６０に対応するＳ２では、上記Ｓ１において測定された生体の最高血圧値ＢＰＳＹＳが記憶される。次いで、心拍数算出手段５６および心拍変化情報算出手段５８に対応するＳ３では、光電脈波センサ４０により検出された脈波の周期からたとえばその５拍の移動平均値を算出することにより心拍数ＨＲ（ｐ／ｍｉｎ）が逐次算出されるとともに、最高血圧値ＢＰＳＹＳが記憶されたときの心拍数ＨＲ０に対する心拍数変化率ΔＨＲｎ［＝１００×（ＨＲ０−ＨＲｎ）／ＨＲ０］（％）が逐次算出される。
【００３０】
そして、心筋酸素消費量指標値算出手段６２に対応するＳ４では、予め記憶された次式（１）から上記記憶された生体の最高血圧値ＢＰＳＹＳと生体から逐次求められた実際の心拍数ＨＲとに基づいて心拍数血圧値積ＲＰＰが算出される。この心拍数血圧値積ＲＰＰ（Rate Pressure Product）は、学術的に、心筋の酸素消費量を適格に表す心筋酸素消費量指標値とされている。
【００３１】
ＲＰＰ＝ＨＲ×ＢＰＳＹＳ               （１）
【００３２】
続いて、血圧測定起動手段６４に対応するＳ５乃至Ｓ１１において、通常血圧以上では、上記心筋酸素消費量指標値（心拍数血圧値積ＲＰＰ）が小さくなるほど高く設定された心拍数増加率判定値Ａに基づいて、すなわち実際の心拍数増加率ΔＨＲが上記心拍数増加率判定値Ａ以上となったことに基づいて血圧測定手段５０による血圧測定の起動が判断される。また、たとえば最高血圧ＢＰＳＹＳが１００ｍｍＨｇ以下の低血圧では、負の値に設定された心拍数増加率判定値Ｂ以下となったことに基づいて血圧測定手段５０による血圧測定の起動が判断される。
【００３３】
先ず、Ｓ５では、前記記憶された生体の最高血圧値ＢＰＳＹＳが１００ｍｍＨｇ以下の低血圧であるか否かが判断される。このＳ５の判断が肯定される場合はＳ６において、実際の心拍数増加率ΔＨＲが負の値に設定された心拍数増加率判定値Ｂたとえば−１０％以下となったか否かが判断される。このＳ６の判断が肯定される場合は血圧測定手段５０に対応するＳ１３の血圧測定ルーチンが開始されるが、否定される場合はＳ１２が実行される。
【００３４】
上記Ｓ５の判断が否定される場合はＳ７において、心筋酸素消費量が比較的少ない状態であるか否か、すなわち心拍数血圧値積ＲＰＰが予め設定された判定値８４００以下であるか否かが判断される。このＳ７の判断が肯定される場合はＳ８において、実際の心拍数増加率ΔＨＲが正の値に設定された心拍数増加率判定値Ａ１たとえば＋２０％以上となったか否かが判断される。このＳ８の判断が肯定される場合は血圧測定手段５０に対応するＳ１３の血圧測定ルーチンが開始されるが、否定される場合はＳ１２が実行される。
【００３５】
上記Ｓ７の判断が否定される場合はＳ９において、心筋酸素消費量が中程度の状態であるか否か、すなわち心拍数血圧値積ＲＰＰが予め設定された判定値９８００以下であるか否かが判断される。このＳ９の判断が肯定される場合はＳ１０において、実際の心拍数増加率ΔＨＲが正の値に設定された心拍数増加率判定値Ａ１たとえば＋１５％以上となったか否かが判断される。このＳ１０の判断が肯定される場合は血圧測定手段５０に対応するＳ１３の血圧測定ルーチンが開始されるが、否定される場合はＳ１２が実行される。
【００３６】
上記Ｓ９の判断が否定される場合は、心筋酸素消費量が比較的多い状態であって、心拍数血圧値積ＲＰＰが予め設定された判定値９８００を越えた状態であるので、Ｓ１１において、実際の心拍数増加率ΔＨＲが正の値に設定された心拍数増加率判定値Ａ１たとえば＋１０％以上となったか否かが判断される。このＳ１１の判断が肯定される場合は血圧測定手段５０に対応するＳ１３の血圧測定ルーチンが開始されるが、否定される場合はＳ１２が実行される。
【００３７】
上記Ｓ１２は更新手段６６に対応するものであり、そこでは、最高血圧値記憶手段６０に最高血圧値ＢＰＳＹＳが記憶されてからの経過時間ｔｅが、たとえば２０乃至３０分程度に予め設定された更新周期Ｔを越えたか否かが判定される。このＳ１２の判断が否定される場合は前記Ｓ３以下が繰り返し実行されるが、肯定される場合はＳ１３以下が実行される。
【００３８】
血圧測定手段５０に対応するＳ１３では、Ｓ１と同様に血圧測定ルーチンが実行されることにより生体の最高血圧値ＢＰＳＹＳ等が測定され、Ｓ１４において表示器３７等に出力された後、Ｓ２以下が繰り返し実行される。これにより、そのＳ１３において測定された新たな最高血圧値ＢＰＳＹＳが最高血圧値記憶手段６０に記憶されて、最高血圧値ＢＰＳＹＳが更新される。
【００３９】
上述のように、本実施例によれば、血圧測定起動手段６４において、心筋酸素消費量指標値算出手段６２により算出された心筋酸素消費量指標値（心拍数血圧値積ＲＰＰ）と心拍変化情報算出手段５８により算出された心拍変化情報（ΔＨＲ）とに基づいて、血圧測定手段５０による血圧測定を起動させることから、生体状態の実際にリスクに応じた起動条件で血圧測定手段５０による血圧測定が起動される。従って、生体の実際のリスクに応じて適切な周期或いはタイミングでカフを用いた血圧測定が可能となる。
【００４０】
また、本実施例によれば、心拍変化情報算出手段５８は、生体の心拍数の変化を算出するものであり、血圧測定起動手段６４は、心拍数ＨＲの増加率ΔＨＲが心筋酸素消費量指標値（心拍数血圧値積ＲＰＰ）が小さくなるほど高く設定された判定値Ａ以上となることに基づいて血圧測定手段５０による血圧測定の起動を開始させるものであることから、心拍数の増加率ΔＨＲがリスクの少ない生体ほど高く設定された判定値Ａ以上となることに基づいて血圧測定の起動が開始させられるので、リスクの少ない生体に対して、必要以上の血圧測定を行うことが防止される。
【００４１】
また、本実施例によれば、血圧測定起動手段６４は、最高血圧値ＢＰＳＹＳが所定値以下の低血圧である場合には、心拍変化情報の増加率ΔＨＲが予め設定された負の値である判定値Ｂ以下となったことに基づいて血圧測定手段５０による血圧測定の起動を開始させるものであるので、低血圧に対するリスクのある生体に対して、適切なタイミングで血圧測定を開始させることができる利点がある。
【００４２】
また、本実施例によれば、最高血圧値記憶手段６０に最高血圧値ＢＰＳＹＳが記憶されてからの経過時間が予め設定された更新周期Ｔを越えたときに、その最高血圧値記憶手段６０に記憶された最高血圧値ＢＰＳＹＳを、生体から新たに測定された最高血圧値ＢＰＳＹＳに更新する更新手段６６が、さらに含まれており、所定の更新周期Ｔを経過する毎に最高血圧値ＢＰＳＹＳが更新されるので、その最高血圧値ＢＰＳＹＳに基づいて算出される心筋酸素消費量指標値（心拍数血圧値積ＲＰＰ）が生体の実際の最高血圧値ＢＰＳＹＳの変化に応じた値とされてその心筋酸素消費量指標値の精度が高められるとともに、血圧監視の精度も高められる。
【００４３】
以上、本発明の一実施例を図面に基づいて説明したが、本発明はその他の態様においても適用される。
【００４４】
たとえば、前述の実施例では、心拍数算出手段５６は、光電脈波センサ３８から出力される光電脈波信号ＳＭ２に基づいて心拍数ＨＲを算出していたが、圧脈波センサから出力される圧脈波信号、心電誘導装置から出力される心電誘導波信号などに基づいて心拍数ＨＲを算出してもよい。すなわち、光電脈波センサ３８が心拍信号検出装置として用いられていたが、生体の上腕部１２に巻回されるカフ１４の圧力振動、心電誘導装置、心音マイクロホン等が心拍信号検出装置として備えられてもよい。
【００４５】
また、前述の実施例の血圧測定手段５０では、所謂オシロメトリック法に従い、カフ１４の圧迫圧力に伴って変化する圧脈波の大きさの変化状態に基づいて血圧値を決定するように構成されていたが、所謂コロトコフ音法に従い、カフ１４の圧迫圧力に伴って発生および消滅するコロトコフ音に基づいて血圧値を決定するように構成されてもよい。
【００４６】
また、前述の実施例では、血圧測定起動手段６４において、心拍変化情報として心拍数変化率ΔＨＲが用いられていたが、それに替えて、最高血圧値ＢＰＳＹＳが最高血圧値記憶手段６０に記憶されてからの心拍数変化量、その逆数などが用いられてもよい。要するに、最高血圧値ＢＰＳＹＳが最高血圧値記憶手段６０に記憶されてからの心拍数変化情報が用いられればよい。
【００４７】
その他、本発明はその主旨を逸脱しない範囲において種々変更が加えられ得るものである。
【図面の簡単な説明】
【００４８】
【図１】本発明の一実施例である血圧監視装置の構成を示すブロック図である。
【図２】図１の実施例の電子制御装置の制御機能の要部を説明する機能ブロック線図である。
【図３】図１の実施例の電子制御装置の制御作動の要部を説明するフローチャートである。
【符号の説明】
【００４９】
１０：血圧監視装置
１４：カフ
５０：血圧測定手段
５８：心拍変化情報算出手段
６０：最高血圧値記憶手段
６２：心筋酸素消費量指標値算出手段
６４：血圧測定起動手段
６６：更新手段
【図１】
2010029228.tif 000003
【図２】
2010029228.tif 000004
【図３】
2010029228.tif 000005